(57)【要約】【課題】表示クライアントを再起動させることなく変更された環境マスタファイルを反映させることができる注文処理システムを提供すること。【解決手段】第一サーバに表示クライアントに対応したフラグで構成された判断ファイルを設け、表示クライアントに第一サーバの判断ファイルにおける自装置に対応したフラグを監視するための監視プログラムを設け、ストアコントローラにおいて環境マスタファイルを更新し、その更新を即時に反映させる場合には、ストアコントローラは第一サーバに環境マスタファイルを送信するとともに第一サーバの判断ファイルのフラグを立てるように更新し、表示クライアントは監視プログラムで監視したときに判断ファイルの自装置に対応したフラグが立っている場合には環境マスタファイルを第一サーバから読込むようにした。【選択図】    図１
2005018686.tif 000002
【特許請求の範囲】
【請求項１】
注文を受付けるオーダーエントリー装置と、オーダーエントリー装置からの注文情報を作業指示メニューとして登録する第一サーバと、この第一サーバから送られてきた作業指示メニューの表示端末としての少なくとも１以上の表示クライアントと、店舗全体の装置の動作環境を管理し、その動作環境を規定する環境マスタファイルを更新して前記第一サーバ及び表示クライアントに反映させるためのストアコントローラとからなることを特徴とする注文処理システムにおいて、前記第一サーバに前記表示クライアントに対応したフラグで構成された判断ファイルを設け、前記表示クライアントに前記第一サーバの判断ファイルにおける自装置に対応したフラグを監視するための監視プログラムを設け、前記ストアコントローラにおいて環境マスタファイルを更新し、その更新を即時に反映させる場合には、前記ストアコントローラは前記第一サーバに環境マスタファイルを送信するとともに第一サーバの判断ファイルのフラグを立てるように更新し、前記表示クライアントは監視プログラムで監視したときに判断ファイルの自装置に対応したフラグが立っている場合には環境マスタファイルを前記第一サーバから読込むようにしたことを特徴とする注文処理システム。
【請求項２】
注文を受付けるオーダーエントリー装置と、オーダーエントリー装置からの注文情報を作業指示メニュー及び会計情報として登録する第一サーバと、第一サーバから送られてきた作業指示メニューの表示端末としての少なくとも１以上の表示クライアントと、第一サーバの会計情報に基づいて会計の管理を行う少なくとも１以上のＰＯＳシステムと、店舗全体の装置の動作環境を管理し、その動作環境を規定する環境マスタファイルを更新して前記第一サーバ、表示クライアント及びＰＯＳシステムに反映させるためのストアコントローラとからなることを特徴とする注文処理システムにおいて、前記第一サーバに前記表示クライアント及びＰＯＳシステムに対応したフラグで構成された判断ファイルを設け、前記表示クライアント及びＰＯＳシステムに前記第一サーバの判断ファイルにおける自装置に対応したフラグを監視するための監視プログラムを設け、前記ストアコントローラにおいて環境マスタファイルを更新し、その更新を即時に反映させる場合には、前記ストアコントローラは前記第一サーバに環境マスタファイルを送信するとともに第一サーバの判断ファイルのフラグを立てるように更新し、前記表示クライアント及びＰＯＳシステムは監視プログラムで監視したときに判断ファイルの自装置に対応したフラグが立っている場合には環境マスタファイルを前記第一サーバから読込むようにしたことを特徴とする注文処理システム。
【請求項３】
表示クライアントの監視プログラムは、自装置において作業指示メニューを表示している場合には起動しない、又は、自装置において作業指示メニューを表示している場合には判断ファイルの自装置に対応したフラグが立っていても環境マスタファイルを前記第一サーバから読込まないようにしたことを特徴とする請求項１又は２記載の注文処理システム。
【請求項４】
ＰＯＳシステムの監視プログラムは、自装置において画面操作を行っている場合には起動しない、又は、自装置において画面操作を行っている場合には判断ファイルの自装置に対応したフラグが立っていても環境マスタファイルを前記第一サーバから読込まないようにしたことを特徴とする請求項２記載の注文処理システム。
【請求項５】
ストアコントローラにおいて環境マスタファイルを更新し、その更新を後日反映させる場合には、更新する日の前日の終局処理時において更新した環境マスタファイルを第一サーバに送信し、更新当日の表示クライアント立上げ時に、第一サーバから表示クライアントに更新した環境マスタファイルを読込んで反映させるようにしたことを特徴とする請求項１又は２記載の注文処理システム。
【発明の詳細な説明】
【０００１】
【発明の属する技術分野】
本発明は、レストラン業界等で使用される注文処理システムにおける動作環境を規定するマスタデータのメンテナンス処理を自動化・一元化するシステムに関するものである。
【０００２】
【従来の技術】
従来より、レストランなどで注文を管理するために使用されるものとして、注文処理システムが存在し、その注文処理システムの１つとしてキッチンディスプレイシステム（以下、ＫＤＳと省略）が存在する。このＫＤＳの構成を図６に基づいて説明する。この図６において、オーダーエントリー装置１１は、顧客からの注文を入力するためのものであり、注文の内容はワイヤレスで送信され、これを受信装置１２で受信する。受信装置１２で受信した注文情報は、ＬＡＮ接続１５によってＫＤＳサーバ１３に入力され、その後、ＫＤＳサーバ１３からＬＡＮ接続１５によって複数のＫＤＳクライアント１４と呼ばれる表示端末に送信され、各ＫＤＳクライアント１４ａ、１４ｂ、１４ｃには注文内容が表示され、これに基づいて調理が行われる。これらの装置全体をコントロールしているのがストアコントローラ１０であり、動作環境を規定するマスタデータ、いわゆる環境マスタによって各装置の動作環境を設定している。このようなＫＤＳは、従来より多数存在しており、例えば、特許文献１のようなものが挙げられる。
【０００３】
【特許文献１】
特開平１０−１２４５６８号公報
【０００４】
【発明が解決しようとする課題】
上記図６に示すようなＫＤＳにおいて、メニュー情報の変更などの各種の変更を行うような場合には、ストアコントローラ１０によって環境マスタファイルを変更し、この変更をＫＤＳサーバ１３及びＫＤＳクライアント１４に反映させなければならない。図６に示す従来のＫＤＳにおいては、閉店後の閉局処理において、ストアコントローラ１０から読み込むことでＫＤＳサーバ１３内の環境マスタファイルを更新し、翌朝、ＫＤＳクライアント１４を立ち上げるときにＫＤＳサーバ１３の更新された環境マスタファイルを読み込んでメモリに展開して新しい設定で動作する。このように、ＫＤＳクライアント１４を再起動することによって更新された環境マスタファイルを読み込むようにしたのは、ＫＤＳクライアント１４はキーボードの替わりに特殊な消し込みパッドを使用していることから細かい操作を行うことができないためであり、細かい操作の替わりに再起動の度にＫＤＳサーバ１３から環境マスタファイルを読み込むように設定している。
【０００５】
このように、環境マスタファイルを閉局処理時に更新する場合は問題ないが、営業時間中に緊急に環境マスタファイルを変更する必要がある場合には、問題が生じてくる。上記のような従来のＫＤＳでは、営業時間中に緊急に環境マスタファイルを変更する場合、各ＫＤＳクライアント１４をそれぞれ使用していないアイドルタイムを利用して再起動することでしか変更された環境マスタファイルを反映できず、ＫＤＳクライアント１４の数が多い場合には、全てのＫＤＳクライアント１４に対して変更された環境マスタファイルを反映するまでに、相当の時間と労力を要していた。
【０００６】
本発明は、上記問題点に鑑みなされたもので、キッチンディスプレイシステムに代表される注文処理システムにおいて、営業時間中に緊急に環境マスタファイルを変更する必要がある場合に、表示クライアントを再起動させることなく変更された環境マスタファイルを反映させることができる注文処理システムを提供することを目的とするものである。
【０００７】
【課題を解決するための手段】
本発明は、注文を受付けるオーダーエントリー装置と、オーダーエントリー装置からの注文情報を作業指示メニューとして登録する第一サーバと、この第一サーバから送られてきた作業指示メニューの表示端末としての少なくとも１以上の表示クライアントと、店舗全体の装置の動作環境を管理し、その動作環境を規定する環境マスタファイルを更新して前記第一サーバ及び表示クライアントに反映させるためのストアコントローラとからなることを特徴とする注文処理システムにおいて、前記第一サーバに前記表示クライアントに対応したフラグで構成された判断ファイルを設け、前記表示クライアントに前記第一サーバの判断ファイルにおける自装置に対応したフラグを監視するための監視プログラムを設け、前記ストアコントローラにおいて環境マスタファイルを更新し、その更新を即時に反映させる場合には、前記ストアコントローラは前記第一サーバに環境マスタファイルを送信するとともに第一サーバの判断ファイルのフラグを立てるように更新し、前記表示クライアントは監視プログラムで監視したときに判断ファイルの自装置に対応したフラグが立っている場合には環境マスタファイルを前記第一サーバから読込むようにしたことを特徴とする注文処理システムである。
【０００８】
このような構成とすることで、営業時間中に緊急に環境マスタファイルを変更する必要がある場合であっても、表示クライアントを再起動させることなく変更された環境マスタファイルを反映させることができる。
【０００９】
【発明の実施の形態】
本発明による注文処理システムは、注文を受付けるオーダーエントリー装置、オーダーエントリー装置からの注文情報を作業指示メニューとして登録する第一サーバ、第一サーバから送られてきた作業指示メニューの表示端末としての少なくとも１以上の表示クライアント、店舗全体の装置の動作環境を管理し、その動作環境を規定する環境マスタファイルを更新して前記第一サーバ及び表示クライアントに反映させるためのストアコントローラとを少なくとも具備してなるものであり、このような構成において、前記第一サーバに前記表示クライアントに対応したフラグで構成された判断ファイルを設け、前記表示クライアントに前記第一サーバの判断ファイルにおける自装置に対応したフラグを監視するための監視プログラムを設け、この監視プログラムによって判断ファイルの自装置に対応したフラグが立っている場合に環境マスタファイルを前記第一サーバから読込むようにしたことを特徴とするものである。以下、キッチンディスプレイシステムに本発明を適用した場合の具体的な実施の形態を図面に基づいて説明する。
【００１０】
実施例１；
本発明によるキッチンディスプレイシステム（以下、ＫＤＳ）の構成を図１に基づいて説明する。この図１において、オーダーエントリー装置２１は、顧客からの注文を入力するためのものであり、注文の内容はワイヤレスで送信され、これを受信装置２２で受信する。受信装置２２で受信した注文情報は、ＬＡＮ接続２５によって第一サーバとしてのＫＤＳサーバ２３に入力され、その後、ＫＤＳサーバ２３からＬＡＮ接続２５によって表示クライアントとしての複数のＫＤＳクライアント２４に送信され、各ＫＤＳクライアント２４ａ、２４ｂ、２４ｃには作業指示メニューとしての調理指示メニューが表示され、これに基づいて調理が行われる。これらの装置全体をコントロールしているのがストアコントローラ２０であり、動作環境を規定するマスタデータ、いわゆる環境マスタによって各装置の動作環境を設定している。
【００１１】
この環境マスタファイルを変更する場合には、ストアコントローラ２０において新しい環境マスタファイルを作成してＫＤＳサーバ２３に送信し、ＫＤＳサーバ２３から各ＫＤＳクライアント２４ａ、２４ｂ、２４ｃに反映させるようにするが、本発明においては、ストアコントローラ２０において新しい環境マスタファイルを作成する際に、その作成した環境マスタファイルを即時反映か、又は、後日反映かを設定できるように構成している。
【００１２】
図２に示すのは、ストアコントローラ２０において新しい環境マスタファイルを作成する場合の流れを示したフローチャートであり、その流れを図２の（Ａ１）〜（Ａ６）に即して説明する。
（Ａ１）新しい環境マスタファイルの作成を開始する。
（Ａ２）環境マスタファイルを更新する。
（Ａ３）更新した環境マスタファイルを反映させる時期として、即時反映モード、又は、後日反映モードを選択する。後日反映モードを選択した場合には、（Ａ６）に進んで作業を終了する。即時反映モードを選択した場合には、（Ａ４）へ進む。
（Ａ４）即時反映モードにおいては、更新した環境マスタファイルを即座にＫＤＳサーバ２３に送信する。
（Ａ５）ＫＤＳサーバ２３に設けた判断ファイルの各ＫＤＳクライアント２４ａ、２４ｂ、２４ｃに対応したフラグを“０”→“１”に更新する。
（Ａ６）作業を終了する。
【００１３】
上記（Ａ３）において、後日反映モードを選択した場合には、従来と同様に、反映させたい日の前日の終局作業時に更新した環境マスタファイルをＫＤＳサーバ２３に送信し、翌朝の各ＫＤＳクライアント２４ａ、２４ｂ、２４ｃの立上げ時に、ＫＤＳサーバ２３から更新した環境マスタファイルを読込んで更新が完了する。
しかし、即時反映モードを選択した場合には、上記（Ａ４）において更新した環境マスタファイルを即座にＫＤＳサーバ２３に送信し、上記（Ａ５）において更新した判断ファイルのフラグを用いて、各ＫＤＳクライアント２４からのアクセスに基づいて、再起動することなく各ＫＤＳクライアント２４の更新を行う。そのために、各ＫＤＳクライアント２４ａ、２４ｂ、２４ｃには、ＫＤＳサーバ２３に設けた判断ファイルを監視するための監視プログラムが設けてある。
【００１４】
図３に示すのは、各ＫＤＳクライアント２４ａ、２４ｂ、２４ｃに設けられた監視プログラムによってＫＤＳサーバ２３の判断ファイルを監視して、判断ファイルのフラグが立っているときには環境マスタファイルを読込んで更新するための流れを示したフローチャートであり、その流れを図２の（Ｂ１）〜（Ｂ５）に即して説明する。
（Ｂ１）監視プログラムを起動する。この開始の前提条件として、ＫＤＳクライアント２４に表示中の調理指示メニューが存在しないことが挙げられる。調理指示メニューが存在しないアイドルタイムに監視プログラムを起動するように設定しておく。
（Ｂ２）ＫＤＳサーバ２３内に設けられた判断ファイルを読込む。
（Ｂ３）判断ファイルの自装置に該当するフラグ部分に着目し、フラグが“０”、つまり即時反映ではない場合には、（Ｂ２）へ進み、フラグが“１”、つまり即時反映モードの場合には、（Ｂ４）へ進む。
（Ｂ４）ＫＤＳサーバ２３から環境マスタファイルを読み込み、自装置に反映させる。
（Ｂ５）自装置に該当する判断ファイルのフラグ部分を“１”→“０”に更新して、（Ｂ２）に戻る。以後、調理指示メニューが存在しない限り、同様の流れを繰り返す。
【００１５】
このように、各ＫＤＳクライアント２４ａ、２４ｂ、２４ｃにおける監視プログラムによってＫＤＳサーバ２３の判断ファイルを監視するようにし、判断ファイルのフラグ“１”が立っているときには環境マスタファイルを読込むようにしたので、再起動することなく環境マスタファイルを更新することができる。また、調理指示メニューが存在しないアイドルタイムを選んで監視するようにしているため、業務に影響を及ぼすことなく環境マスタファイルを更新することができる。
【００１６】
実施例２；
前記実施例においては、キッチンディスプレイシステムの環境マスタファイルを自動的に反映させるシステムについて説明したが、本発明はこれに限られるものではなく、キッチンディスプレイシステムとＰＯＳシステムを一元管理するような場合にも適用できるものである。従来のＰＯＳシステムにおいて緊急に環境マスタファイルを更新する場合には、画面操作を行っていないときに手動によって読込みを行い更新を行っていたため、ＫＤＳクライアントの場合と異なり再起動は必要なかったが、手動である限り人為的ミスの可能性があり、更新された環境マスタファイルの反映が遅れてしまうことも考えられる。そこで、本発明を適用することにより、自動化されたシステムを提供する。
【００１７】
図４に示すのは、ＫＤＳとＰＯＳシステムを一元管理する場合の構成を示したものであり、この図４において、オーダーエントリー装置３１は、顧客からの注文を入力するためのものであり、注文の内容はワイヤレスで送信され、これを受信装置３２で受信する。受信装置３２で受信した注文情報は、ＬＡＮ接続３５によってＫＤＳサーバ３３に入力され、その後、ＫＤＳサーバ３３からＬＡＮ接続３５によって表示端末としての複数のＫＤＳクライアント３４に送信され、各ＫＤＳクライアント３４ａ、３４ｂ、３４ｃには注文内容が表示され、これに基づいて調理が行われる。さらに、オーダーエントリー装置３１からの注文内容は、受信装置３２で受信してＫＤＳサーバ３３に入力された後、テーブル単位の会計情報として各ＰＯＳシステム３６ａ、３６ｂ、３６ｃにＬＡＮ接続３５を通じて送られる。これらの装置全体をコントロールしているのがストアコントローラ３０であり、動作環境を規定するマスタデータ、いわゆる環境マスタによって各装置の動作環境を設定している。
【００１８】
この環境マスタファイルを変更する場合には、ストアコントローラ３０において新しい環境マスタファイルを作成してＫＤＳサーバ３３に送信し、ＫＤＳサーバ３３から各ＫＤＳクライアント３４ａ、３４ｂ、３４ｃ、及び、各ＰＯＳシステム３６ａ、３６ｂ、３６ｃに反映させるようにするが、その流れは前記実施例と同様に、図２に示すフローチャートに基づいて、環境マスタファイルを更新した後、即時反映モード、又は、後日反映モードを選択して、その選択によって判断ファイルのフラグを決定する。
【００１９】
次に、ＫＤＳとＰＯＳシステムを一元管理する場合において、各ＫＤＳクライアント３４ａ、３４ｂ、３４ｃ、及び、各ＰＯＳシステム３６ａ、３６ｂ、３６ｃに設けられた監視プログラムによってＫＤＳサーバ３３の判断ファイルを監視して、判断ファイルのフラグが立っているときには環境マスタファイルを読込んで更新するための流れを、図５に示したフローチャートの（Ｃ１）〜（Ｃ１４）に即して説明する。
【００２０】
（Ｃ１）監視プログラムを起動する。ＫＤＳクライアント３４の場合には、この開始の前提条件として、表示中の調理指示メニューが存在しないことが挙げられる。よって、調理指示メニューが存在しないアイドルタイムに監視プログラムを起動するように設定しておく。
（Ｃ２）ＫＤＳサーバ３３内に設けられた判断ファイルを読込む。
（Ｃ３）判断ファイルの自装置に該当するフラグ部分に着目し、フラグが“０”、つまり即時反映ではない場合には、（Ｃ２）へ進み、フラグが“１”、つまり即時反映モードの場合には、（Ｃ４）へ進む。
（Ｃ４）ここで、該当装置がＫＤＳであるのかＰＯＳであるのかが判断され、判断結果によってフローが異なる。ＫＤＳの場合には（Ｃ５）へ進み、ＰＯＳの場合には（Ｃ７）に進む。
【００２１】
［ＫＤＳの場合］
（Ｃ５）ＫＤＳサーバ３３から環境マスタファイルを読み込み、自装置に反映させる。
（Ｃ６）自装置に該当する判断ファイルのフラグ部分を“１”→“０”に更新して、（Ｂ２）に戻る。以後、調理指示メニューが存在しない限り、同様の流れを繰り返す。
【００２２】
［ＰＯＳの場合］
（Ｃ７）現在ＰＯＳの画面を操作中であるか否かを判断する。画面操作中である場合には（Ｃ８）へ進み、画面を操作していない場合には（Ｃ９）に進む。
（Ｃ８）画面操作が終了するまで待機し、終了後に再度（Ｃ７）へ進む。
（Ｃ９）操作が行われないように、画面をロックする。
（Ｃ１０）“マスタ反映中”というメッセージをディスプレイに表示して操作が行えないことを使用者に通知する。
（Ｃ１１）ＫＤＳサーバ３３から環境マスタファイルを読み込む。
（Ｃ１２）読み込んだ環境マスタファイルを自装置に反映させる。
（Ｃ１３）“マスタ反映中”というメッセージ表示を終了し、同時に画面ロックを解除する。
（Ｃ１４）自装置に該当する判断ファイルのフラグ部分を“１”→“０”に更新して、（Ｃ２）に戻る。
【００２３】
このように、各ＫＤＳクライアント３４ａ、３４ｂ、３４ｃ、及び、各ＰＯＳシステム３６ａ、３６ｂ、３６ｃにおける監視プログラムによってＫＤＳサーバ３３の判断ファイルを監視するようにし、判断ファイルのフラグ“１”が立っているときには環境マスタファイルを読込むようにしたので、再起動することなく環境マスタファイルを更新することができる。また、ＫＤＳクライアント３４においては、調理指示メニューが存在しないアイドルタイムを選んで監視するようにし、ＰＯＳシステム３６においては、画面を操作していない時間を選んで環境マスタファイルを更新するようにしているため、どちらの場合においても、業務に影響を及ぼすことなく環境マスタファイルを更新することができる。
【００２４】
前記実施例において、ＫＤＳクライアント３４の監視プログラムは、開始の前提条件として、表示中の調理指示メニューが存在しないこととし、調理指示メニューが存在しないアイドルタイムに監視プログラムを起動するように設定したが、本発明はこれに限られるものではない。例えば、監視プログラムは一定時間毎に起動して判断ファイルを読込んで即時反映か否かをチェックするようにし、即時反映のフラグが立っていても、表示中の調理指示メニューが存在する場合には環境マスタファイルの読込みを待機させて、調理指示メニューがなくなると同時に環境マスタファイルの読込みを開始するように設定してもよい。
同様に、ＰＯＳシステム３６の監視プログラムにおいては、画面操作中であるか否かを判断して、画面操作中であった場合には環境マスタファイルの読込みを待機させて、画面操作終了と同時に環境マスタファイルの読込みを開始するように設定していたが、これに限られるものではなく、画面操作中である場合には、監視プログラム自体を起動させないように設定してもよい。
【００２５】
【発明の効果】
請求項１記載の発明によれば、注文を受付けるオーダーエントリー装置と、オーダーエントリー装置からの注文情報を作業指示メニューとして登録する第一サーバと、この第一サーバから送られてきた作業指示メニューの表示端末としての少なくとも１以上の表示クライアントと、店舗全体の装置の動作環境を管理し、その動作環境を規定する環境マスタファイルを更新して前記第一サーバ及び表示クライアントに反映させるためのストアコントローラとからなることを特徴とする注文処理システムにおいて、前記第一サーバに前記表示クライアントに対応したフラグで構成された判断ファイルを設け、前記表示クライアントに前記第一サーバの判断ファイルにおける自装置に対応したフラグを監視するための監視プログラムを設け、前記ストアコントローラにおいて環境マスタファイルを更新し、その更新を即時に反映させる場合には、前記ストアコントローラは前記第一サーバに環境マスタファイルを送信するとともに第一サーバの判断ファイルのフラグを立てるように更新し、前記表示クライアントは監視プログラムで監視したときに判断ファイルの自装置に対応したフラグが立っている場合には環境マスタファイルを前記第一サーバから読込むようにしたので、営業時間中に緊急に環境マスタファイルを変更する必要がある場合であっても、表示クライアントを再起動させることなく変更された環境マスタファイルを反映させることができる。
【００２６】
請求項２記載の発明によれば、注文を受付けるオーダーエントリー装置と、オーダーエントリー装置からの注文情報を作業指示メニュー及び会計情報として登録する第一サーバと、第一サーバから送られてきた作業指示メニューの表示端末としての少なくとも１以上の表示クライアントと、第一サーバの会計情報に基づいて会計の管理を行う少なくとも１以上のＰＯＳシステムと、店舗全体の装置の動作環境を管理し、その動作環境を規定する環境マスタファイルを更新して前記第一サーバ、表示クライアント及びＰＯＳシステムに反映させるためのストアコントローラとからなることを特徴とする注文処理システムにおいて、前記第一サーバに前記表示クライアント及びＰＯＳシステムに対応したフラグで構成された判断ファイルを設け、前記表示クライアント及びＰＯＳシステムに前記第一サーバの判断ファイルにおける自装置に対応したフラグを監視するための監視プログラムを設け、前記ストアコントローラにおいて環境マスタファイルを更新し、その更新を即時に反映させる場合には、前記ストアコントローラは前記第一サーバに環境マスタファイルを送信するとともに第一サーバの判断ファイルのフラグを立てるように更新し、前記表示クライアント及びＰＯＳシステムは監視プログラムで監視したときに判断ファイルの自装置に対応したフラグが立っている場合には環境マスタファイルを前記第一サーバから読込むようにしたので、営業時間中に緊急に環境マスタファイルを変更する必要がある場合であっても、表示クライアントを再起動させることなく変更された環境マスタファイルを反映させることができ、また、ＰＯＳシステムにおいても自動で環境マスタファイルを読込んで反映させることができる。
【００２７】
請求項３記載の発明によれば、表示クライアントの監視プログラムは、自装置において作業指示メニューを表示している場合には起動しない、又は、自装置において作業指示メニューを表示している場合には判断ファイルの自装置に対応したフラグが立っていても環境マスタファイルを前記第一サーバから読込まないようにしたので、表示中の作業指示メニューが存在する場合には、環境マスタファイルが反映されないようにすることができる。
【００２８】
請求項４記載の発明によれば、ＰＯＳシステムの監視プログラムは、自装置において画面操作を行っている場合には起動しない、又は、自装置において画面操作を行っている場合には判断ファイルの自装置に対応したフラグが立っていても環境マスタファイルを前記第一サーバから読込まないようにしたので、画面操作を行っている場合には、環境マスタファイルが反映されないようにすることができる。
【００２９】
請求項５記載の発明によれば、ストアコントローラにおいて環境マスタファイルを更新し、その更新を後日反映させる場合には、更新する日の前日の終局処理時において更新した環境マスタファイルを第一サーバに送信し、更新当日の表示クライアント立上げ時に、第一サーバから表示クライアントに更新した環境マスタファイルを読込んで反映させるようにしたので、環境マスタファイルを反映させたい日付を指定して、その日の立上げ時に確実に反映させるようにすることができる。
【図面の簡単な説明】
【図１】本発明による注文処理システムを適用したキッチンディスプレイシステムの構成を示したブロック図である。
【図２】図１の場合において、ストアコントローラで環境マスタファイルを更新する場合の流れを説明したフローチャートである。
【図３】図１の場合において、各ＫＤＳクライアントの監視プログラムによって環境マスタファイルを自動更新する流れを説明したフローチャートである。
【図４】本発明による注文処理システムをキッチンディスプレイシステムとＰＯＳシステムを一元管理する場合に適用した構成を示したブロック図である。
【図５】図４の場合において、各ＫＤＳクライアント、及び、各ＰＯＳシステムの監視プログラムによって、それぞれ環境マスタファイルを自動更新する流れを説明したフローチャートである。
【図６】従来のキッチンディスプレイシステムの構成を示したブロック図である。
【符号の説明】
１０…ストアコントローラ、１１…オーダーエントリー装置、１２…受信装置、１３…ＫＤＳサーバ、１４ａ〜１４ｃ…ＫＤＳクライアント、１５…ＬＡＮ接続、２０…ストアコントローラ、２１…オーダーエントリー装置、２２…受信装置、２３…ＫＤＳサーバ、２４ａ〜２４ｃ…ＫＤＳクライアント、２５…ＬＡＮ接続、３０…ストアコントローラ、３１…オーダーエントリー装置、３２…受信装置、３３…ＫＤＳサーバ、３４ａ〜３４ｃ…ＫＤＳクライアント、３５…ＬＡＮ接続、３６ａ〜３６ｃ…ＰＯＳシステム。
【図１】
2005018686.tif 000003
【図２】
2005018686.tif 000004
【図３】
2005018686.tif 000005
【図４】
2005018686.tif 000006
【図５】
2005018686.tif 000007
【図６】
2005018686.tif 000008